(57)【要約】【課題】器具本体に対するユニット部の着脱が容易な照明器具を提供する。【解決手段】照明器具は、器具本体15と、ユニット部16と、バッテリパック17と、板ばね47とを有する。器具本体15は、側面に設けられる嵌合開口32と、一端側に設けられる開口部21とを有する。ユニット部16は、光源モジュール41を点灯制御する点灯回路を構成する回路基板を保持するとともに、器具本体15の開口部21から挿脱される。板ばね47は、ユニット部16の器具本体15への挿入により嵌合開口32に対して嵌合することでユニット部16を器具本体15に対して係止する。板ばね47は、弾性変形させる操作により器具本体15に対するユニット部16の係止を解除する。【選択図】図１
2016173893.tif 000002
【特許請求の範囲】
【請求項１】
側面に設けられる嵌合部と、一端側に設けられる開口部とを有する器具本体と；
光源モジュールを点灯制御する点灯回路を構成する回路基板を保持するとともに、前記器具本体の開口部から挿脱されるユニット部と；
このユニット部に保持され、前記点灯回路に給電するバッテリと；
前記ユニット部の前記器具本体への挿入により前記嵌合部に対して嵌合することで前記ユニット部を前記器具本体に対して係止するとともに、弾性変形させる操作により前記器具本体に対する前記ユニット部の係止を解除する係止部材と；
を具備していることを特徴とする照明装置。
【請求項２】
係止部材は、
嵌合部に向けて突出するように湾曲して形成され、嵌合部への嵌合によりユニット部を器具本体の他端側へと付勢する付勢部と、
この付勢部に突設され、前記ユニット部を前記器具本体に対して抜け止めする突設部とを備えている
ことを特徴とする請求項１記載の照明装置。
【請求項３】
係止部材は、付勢部および突設部を嵌合部に対して退避する方向に操作することにより前記係止部材を弾性変形させる操作部を備えている
ことを特徴とする請求項２記載の照明装置。
【請求項４】
係止部材は、付勢部から延設して設けられるとともに、前記係止部材を弾性変形させる操作部を備えている
ことを特徴とする請求項２または３記載の照明装置。
【請求項５】
器具本体は、接触部を備え、
ユニット部は、
光源モジュールと、
この光源モジュールおよび回路基板を保持するケース体と、
このケース体に取り付けられ前記接触部に対して前記器具本体の一端側から接触する接触部材とを備え、
嵌合部および係止部材は、前記接触部および前記接触部材の近傍に位置している
ことを特徴とする請求項１ないし４いずれか一記載の照明装置。
【請求項６】
光源モジュールを露出させた状態で前記器具本体の開口部を覆って着脱されるカバー体と、
器具本体に設けられ、前記カバー体を係止するカバー体係止部と、
前記器具本体に設けられ、この器具本体を取り付ける取付けばねとを備え、
嵌合部は、前記カバー体係止部と前記取付けばねとの間に位置している
ことを特徴とする請求項５記載の照明装置。
【発明の詳細な説明】
【技術分野】
【０００１】
本発明の実施形態は、光源モジュールを点灯制御する点灯回路を構成する回路基板を保持するユニット部を器具本体の一端側の開口部から挿脱する照明装置に関する。
【背景技術】
【０００２】
従来、通常時に光源を商用交流電源などの外部電源で点灯させ、外部電源の停電時などの非常時にバッテリの電源により光源を点灯させるようにした非常灯対応の非常用照明装置がある。このような照明装置の光源として、従来はミニハロゲンランプが用いられていたが、近年ではミニハロゲンランプに代えてＬＥＤが用いられてきている。
【０００３】
このような照明装置として、ＬＥＤを用いる光源モジュールおよびこの光源モジュールのＬＥＤを点灯させる点灯回路を構成する回路基板を備えたユニット部が、器具本体に対してねじ止めにより固定されるものがある。この場合、ユニット部を器具本体に対して着脱する際にドライバなどの一般工具を用いる必要があるので、器具本体に対してユニット部をより簡便に着脱できる構成とすることが望まれている。
【先行技術文献】
【非特許文献】
【０００４】
【非特許文献１】"東芝非常用照明器具(電池内蔵)(専用形)取扱説明書"、[online]、[平成27年3月1日検索]、インターネット<URL:http://saturn.tlt.co.jp/product/servlet/getpdf/11/00269795/p//LEDEM13221.pdf>
【発明の概要】
【発明が解決しようとする課題】
【０００５】
本発明が解決しようとする課題は、器具本体に対するユニット部の着脱が容易な照明装置を提供することである。
【課題を解決するための手段】
【０００６】
実施形態の照明装置は、器具本体と、ユニット部と、バッテリと、係止部材とを有する。器具本体は、側面に設けられる嵌合部と、一端側に設けられる開口部とを有する。ユニット部は、光源モジュールを点灯制御する点灯回路を構成する回路基板を保持するとともに、器具本体の開口部から挿脱される。バッテリは、ユニット部に保持され、点灯回路に給電する。係止部材は、ユニット部の器具本体への挿入により嵌合部に対して嵌合することでユニット部を器具本体に対して係止する。また、係止部材は、弾性変形させる操作により器具本体に対するユニット部の係止を解除する。
【発明の効果】
【０００７】
本発明によれば、ユニット部を器具本体に挿入するだけで係止部材によってユニット部を器具本体に係止できるとともに、係止部材を弾性変形させる操作によって係止部材による器具本体に対するユニット部の係止を解除するので、器具本体に対してユニット部を容易に着脱することが期待できる。
【図面の簡単な説明】
【０００８】
【図１】一実施形態の照明装置の器具本体に対してユニット部を着脱する状態を示す斜視図である。
【図２】同上器具本体に対してユニット部を装着する状態を(a)および(b)の順に示す一部の断面図である。
【図３】同上器具本体に対してユニット部を取り外す操作を下方から示す一部の平面図である。
【図４】同上器具本体に対してユニット部を取り外す状態を(a)および(b)の順に示す一部の断面図である。
【図５】同上照明装置の係止部材を示す斜視図である。
【図６】(a)は同上係止部材が取り付けられたケース体の一部を下方から示す斜視図、(b)は係止部材を取り付けるケース体の一部を下方から示す斜視図である。
【図７】同上照明装置の光源モジュールを示す分解斜視図である。
【図８】(a)は同上ユニット部の一部を上方から示す斜視図、(b)は同上ユニット部の一部を下方から示す斜視図である。
【図９】同上ユニット部の一部の分解斜視図である。
【図１０】同上ユニット部のケース体に対して光源モジュールを着脱する状態を示す斜視図である。
【図１１】同上ユニット部にバッテリを保持した状態を上方から示す斜視図である。
【図１２】同上ユニット部に接触部材を取り付ける状態を下方から示す斜視図である。
【図１３】(a)は同上器具本体にユニット部を取り付けた状態を下方から示す斜視図、(b)は同上器具本体にユニット部を取り付けた状態を下方から示す平面図である。
【図１４】同上照明装置を下方から示す平面図である。
【図１５】同上照明装置の器具本体の埋込孔への取り付けを示す側面図である。
【図１６】(a)は同上照明装置を一側上方から示す斜視図、(b)は同上照明装置を他側上方から示す斜視図である。
【図１７】同上照明装置を下方から示す分解斜視図である。
【図１８】同上照明装置を下方から示す斜視図である。
【発明を実施するための形態】
【０００９】
以下、一実施形態の構成を図１ないし図１８を参照して説明する。
【００１０】
図２などに示す11は照明装置としての照明器具であり、この照明器具11は、例えば天井面などの設置面Ｐに開口された取付部である埋込孔12に埋設される非常灯として用いられる非常用照明装置である。そして、この照明器具11は、図１８などに示すように、一端側である下端側が開口した略円筒状の器具本体15を備えており、この器具本体15内には、図１７などに示すように、ユニット部16、非常点灯用のバッテリであるバッテリパック17、商用交流電源などの外部電源と電気的に接続される端子台18、および、この端子台18とユニット部16とを電気的に接続するコネクタである中継コネクタ19がそれぞれ収納されている。
【００１１】
また、器具本体15は、下端側に開口部21を有する有蓋円筒状に形成され、開口部21に対して円形状(円環状)のカバー体としての化粧枠22が着脱可能となっている。さらに、この器具本体15の両側には、器具本体15を埋込孔12に保持するための細長い板状の金属製の板ばねである一対の取付けばね23，23が取り付けられている。
【００１２】
そして、図１６(a)、図１６(b)および図１７などに示すように、器具本体15は、放熱性部材であるアルミニウムなどの金属により形成され、側面となる外周面に、取付けばね23，23を取り付けるための一対のばね取付用開口25，25と、化粧枠22を係止するためのカバー体係止部としての化粧枠係止部である対をなす(一対の)係止用開口26，26と、対をなす(二対の)開口27，27，27，27とがそれぞれ開口されているとともに、端子台18が嵌合する端子台用凹部28が設けられている。また、この器具本体15の上端部には、取付けばね23，23の逃げとなる逃げ部29，29が外側部に凹部を有して設けられているとともに、埋込孔12への埋め込みを容易にする傾斜部30が設けられている。また、この器具本体15の下端部の開口部21の周囲には、径方向に突出するフランジ部31が設けられている。なお、本実施形態では、器具本体15は軸方向(上下)に２分割されているが、一体としてもよいし、３分割以上としてもよい。
【００１３】
ばね取付用開口25，25は、器具本体15の下端部の位置にて、径方向に互いに反対側の位置に開口されている。すなわち、これらばね取付用開口25，25により、取付けばね23，23が器具本体15の径方向に互いに反対側の位置(器具本体15の中心軸L1(図１６(a)および図１６(b)など)に対して互いに反対側の位置)に位置して、この径方向に沿って外方へと延出している。したがって、これらばね取付用開口25，25から器具本体15の側方に突出する取付けばね23，23は、器具本体15の直径(径方向)に沿って下方に向けて付勢力(保持力)を作用させるようになっている。すなわち、これら取付けばね23，23による付勢力の作用線は、器具本体15の軸方向と直交する直径方向(径方向)となっている。なお、以下、この作用線に沿う器具本体15(照明器具11)の軸直方向、すなわち中心軸L1(図１６(a)および図１６(b))と直交する方向(直径方向)の中心線L2(図１４)を基準として、その一側方を一側、他側方を他側というものとする。また、この中心軸L1は、後述する光源モジュール41の光の出射方向に沿う方向である。
【００１４】
係止用開口26，26は、器具本体15の下端寄りの位置にて、ばね取付用開口25，25と交差(直交)する径方向に互いに反対側の位置、すなわち器具本体15の一側および他側に開口されている。また、これら係止用開口26，26には、ユニット部16を器具本体15に係止するための嵌合部としての嵌合開口32，32が一体に連続して開口されている。これら嵌合開口32，32は、係止用開口26，26のばね取付用開口25，25(取付けばね23，23)側、すなわち開口27，27側の位置に連続して四角形状に開口されている。したがって、これら嵌合開口32，32は、器具本体15の下端部の位置にて、径方向に互いに反対側の位置で、かつ、ばね取付用開口25，25(取付けばね23，23)と係止用開口26，26との間の位置に開口され、各開口27，27の近傍に位置している。
【００１５】
各開口27は、器具本体15の下端寄りの位置にて、係止用開口26，26と、ばね取付用開口25，25との間の位置にそれぞれ開口されている。そして、これら開口27には、水平状、すなわち器具本体15の軸直方向に沿ってユニット部16と圧接される接触部としての伝熱部であるブラケット27aが器具本体15の内部に向けて突設されている。したがって、これらブラケット27aのうち、器具本体15の径方向の互いに反対側に位置するブラケット27aが、嵌合開口32，32の近傍に位置している。
【００１６】
端子台用凹部28は、器具本体15の上端寄りの位置にて、他側の係止用開口26の上方の位置、すなわち器具本体15の他側に設けられている。この端子台用凹部28には、この端子台用凹部28と器具本体15の内部とを連通する連通開口28a(図１６(b))が開口されている。
【００１７】
逃げ部29，29は、ばね取付用開口25，25の上方に位置しており、照明器具11を埋込孔12に取り付ける際に、取付けばね23，23の先端側を器具本体15の径方向の中心側(中心軸L1側)、すなわち内側へと屈曲可能とすることで照明器具11の埋込孔12への取り付けを容易にするものである。
【００１８】
傾斜部30は、器具本体15の上面部の一側、すなわち中心軸L1に対して端子台用凹部28と反対側の位置に形成されている。
【００１９】
フランジ部31は、設置面Ｐに対して下方から当接する部分であり、器具本体15の下端部の全周に亘って連続する円形板状に形成されている。
【００２０】
図１７に示す化粧枠22は、器具本体15の一端側である下端側の開口部21を覆って着脱されるもので、円環状に形成された板状のカバー体本体としての化粧枠本体33と、この化粧枠本体33の厚み方向にて上方に突出するカバー体係止部材としての化粧枠係止部材である係止ばね34，34とを備えている。
【００２１】
化粧枠本体33は、器具本体15よりも外径寸法が大きく形成されて器具本体15の下端部に対してフランジ状に突出する略円形状の枠本体部36と、この枠本体部36の周縁部から上方に立ち上げられて照明器具11を埋込孔12(図２など)に埋設した状態でフランジ部31の周囲の位置で設置面Ｐ(図２など)に対して下方から当接する縦壁部37とを一体に備えている。そして、この化粧枠本体33には、光が下方に出射する円形状の出射開口38が略中央部(枠本体部36の略中央部)に開口されているとともに、この出射開口38の一側にて枠本体部36に、複数の円形状の開口部39が開口されている。また、この化粧枠本体33は、化粧枠22を器具本体15の開口部21に取り付けた状態で、枠本体部36がフランジ部31に対して下方に離間されている。換言すれば、化粧枠本体33(枠本体部36)は、フランジ部31に対して間隙を有して対向している。
【００２２】
係止ばね34，34は、化粧枠本体33の上面側、すなわち器具本体15側の外縁寄りの位置にて一側および他側に取り付けられている。これら係止ばね34，34は、器具本体15の係止用開口26，26に対して器具本体15の軸直方向に沿って弾性的に挿入されることで、化粧枠22を器具本体15の下端部(開口部21)に係止固定するようになっている。
【００２３】
図１６(a)および図１６(b)などに示す取付けばね23，23は、一端側が器具本体15の一端側である下端側の外側部のばね取付用開口25，25に取り付けられた長尺板ばね状のばね本体23a，23aと、これらばね本体23a，23aの先端部に屈曲されたばね引掛部23bとを備え、器具本体15の側方に突出されている。
【００２４】
図１などに示すユニット部16は、光源モジュール41と、補助放熱体である補助放熱板42と、回路基板である基板部43(図９)と、これら光源モジュール41、補助放熱板42および基板部43を保持するケース体44とを備えている。また、このユニット部16には、接触部材としての固定金具45，45が固定体であるねじ46，46によりケース体44に取り付けられている。そして、このユニット部16は、係止部材としてのばね性を有する板ばね47，47により器具本体15に対して着脱可能に係止される。
【００２５】
光源モジュール41は、本実施形態では、ユニット部16を器具本体15内に取り付けた状態で、化粧枠22の出射開口38(図１４など)を介して器具本体15の下端部から下方へと光を出射するものである。この光源モジュール41は、図７に示すように、光源基板51と、この光源基板51を覆うモジュールケース52と、このモジュールケース52に保持された配光制御部材としての制光体であるドーム状のレンズ53とを備えている。したがって、この光源モジュール41は、図１３(a)および図１３(b)に示すように、ユニット部16を器具本体15内に取り付けた状態で、中央部が、器具本体15内にてこの器具本体15の中心軸L1と同軸状に配置されている。この光源モジュール41は、全体として、外縁が円弧の一部に沿う、換言すれば外縁が円形状のモジュール本体部41aと、このモジュール本体部41aから径方向に互いに反対方向に突出する突出部41b，41bとを備えている。
【００２６】
図７に示す光源基板51は、モジュール本体部41aに位置し、平板状に形成され、一主面である下面の略中央部に、発光素子(半導体発光素子)であるＬＥＤ55が実装されているとともに、これらＬＥＤ55の近傍に、基板部43とＬＥＤ55とを電気的に接続するコネクタ56が実装されている。
【００２７】
ＬＥＤ55は、光源基板51の下面にて中央部に配置されており、全体がレンズ53により覆われている。そして、このレンズ53により、ＬＥＤ55からの光が、所定の規格により規定された配光特性となるように拡散されている。
【００２８】
モジュールケース52は、光源基板51を下部に固定し相対的に上側に位置する放熱体としての放熱板(背板)である放熱部58と、レンズ53が保持され相対的に下側に位置する押さえ金具である例えば金属製のカバー部59とを備えている。
【００２９】
放熱部58は、例えば放熱性部材であるアルミニウムなどの金属により平板状に形成されており、ＬＥＤ55と熱的に接続されている。カバー部59は、例えば放熱性部材であるアルミニウムなどの金属により形成されている。そして、これら放熱部58とカバー部59とは、例えばねじなどのケース固定部材60，60により互いに一体的に固定され、ケース体44に対して下方から着脱可能となっている。
【００３０】
レンズ53は、ＬＥＤ55の配光を制御し角度を広くするもので、カバー部59に図示しないパッキンなどを介して保持され、モジュール本体部41aに位置している。このレンズ53は、図１７に示すユニット部16を器具本体15内に取り付けた状態で、出射開口38に嵌合され、化粧枠22よりも下方に突出するようになっている。なお、このレンズ53のＬＥＤ55と対向する側には、光源基板51の位置決めあるいは保持を行う図示しない保持部(突起部)が形成されている。
【００３１】
図１０などに示す補助放熱板42は、例えば放熱性部材であるアルミニウムなどの金属により板状に形成されている。この補助放熱板42は、ケース体44の下部に位置して放熱部58の上面に重ねられてこの放熱部58と熱的に接続される補助放熱体本体としての補助放熱板本体42aと、この補助放熱板本体42aから上方、すなわち光源モジュール41に対して反対側へと屈曲されてケース体44に挿通される補助放熱部42bとを一体に備えている。したがって、この補助放熱板42は、光源モジュール41と重なってこの光源モジュール41の上部に位置している。
【００３２】
図９および図１４などに示す基板部43は、板状に形成された基板本体61と、この基板本体61に実装されたスイッチ63、モニタランプ64、コネクタ部65、接続コネクタ66、および、電源接続コネクタ67となどを備えており、光源モジュール41に動作用の電源を供給してＬＥＤ55を点灯させる点灯回路68およびバッテリパック17(図１など)を充電する充電回路69が形成されている。この基板部43は、スイッチ63、モニタランプ64、コネクタ部65、接続コネクタ66および電源接続コネクタ67側が光源モジュール41側(中心軸L1側)に対向するように配置されている。
【００３３】
スイッチ63は、保守点検用の(一の)機能性部品である。このスイッチ63は、基板本体61の下端部に位置しており、光源モジュール41の一側に位置して、図１４に示すように化粧枠22の開口部39に嵌合または対向して照明器具11の下部に露出している。そして、スイッチ63は、外部操作によってＬＥＤ55の状態、バッテリパック17の充電状態などを点検する図示しない点検回路を動作させる点検モードの始動用のものである。
【００３４】
各モニタランプ64は、保守点検用の(他の)機能性部品である。これらモニタランプ64は、基板本体61の下端部に位置してスイッチ63の側方にて略直線状に並んでおり、光源モジュール41の一側に位置して、化粧枠22の開口部39にそれぞれ嵌合または対向して照明器具11(器具本体15)の下部に露出または下部から視認可能となっている。そして、これらモニタランプ64は、スイッチ63の操作により点検回路が動作したときに、点検回路の動作またはこの点検回路による点検結果を表示(報知)するものである。すなわち、これらモニタランプ64は、点検中の報知、バッテリの点検結果の報知、または、光源モジュール41の点検結果の報知などを行う点検報知用の報知手段である。
【００３５】
コネクタ部65は、ＬＥＤ55(光源基板51(図７))と点灯回路68とを電気的に接続するもので、基板部43の基板本体61の下端部寄りの位置に配置されており、図示しないリード線を介して、光源基板51のコネクタ56(図７)と電気的に接続されている。
【００３６】
図９に示す接続コネクタ66は、点灯回路68とバッテリパック17(図１１)とを電気的に接続するもので、基板本体61に固定された固定側コネクタ部66aと、図示しないリード線を介してバッテリパック17(図１１)側と電気的に接続された接続側コネクタ部66bとを備えている。固定側コネクタ部66aは、基板部43の基板本体61の上端部に配置されており、ケース体44の上部から他側方に向けて外部に露出し、先端側がバッテリパック17(図１１)に対向している。
【００３７】
電源接続コネクタ67は、点灯回路68および充電回路69と端子台18(図１５)とを、中継コネクタ19(図１)を介して電気的に接続するもので、基板部43の基板本体61の上端部に配置されており、ケース体44の上部からこのケース体44の外部に露出し、一の配線71を介して中継コネクタ19と接続される先端側(一の配線71の挿入側)が上方に向けられている。すなわち、この電源接続コネクタ67(点灯回路68および充電回路69)は、一の配線71を介して中継コネクタ19と直接電気的に接続されている。
【００３８】
図８(a)、図８(b)、図９ないし図１３などに示すケース体44は、例えば合成樹脂などにより形成され、光源モジュール41、補助放熱板42、基板部43、バッテリパック17および中継コネクタ19を保持する一のケースである下部ケース73と、この下部ケース73の上部を覆ってこの下部ケース73に係止され基板部43を下部ケース73との間に収容する他のケースである上部ケース74とを備えている。そして、このケース体44は、ユニット部16を器具本体15に収容した状態で、上下方向に見て器具本体15の内面に対して外縁部が僅かなクリアランスで対向するようになっている。したがって、ユニット部16(ケース体44)は、器具本体15内で基本的に中心軸L1に沿う上下方向にのみ移動可能で、この中心軸L1に対して交差する方向に殆ど移動しないようになっている。
【００３９】
下部ケース73の下部、すなわちユニット部16を器具本体15に収容した状態で化粧枠22(化粧枠本体33、図１７)の上部に対向する位置を構成する下面76には、略中央部に、補助放熱板42の補助放熱板本体42aが嵌着される凹部77が形成されているとともに、この凹部77に、下部ケース73を上下に貫通する複数の露出開口部78及び挿通開口部79がそれぞれ開口されている。また、この下部ケース73の下面76には、凹部77の一側に、基板部43の下部を支持する基板支持部80が下方に突出して形成され、凹部77の他側に、光源モジュール41の他側の位置を規制する円弧状の規制部81が下方に突出して形成されているとともに中継コネクタ19を収納する収納凹部82が形成されている。さらに、この下部ケース73の下面76には、凹部77の一端側に、下部ケース73を上下に貫通する連通口84が開口されている。そして、この下部ケース73の下面76の四隅には、ユニット部16を器具本体15に対して取り付けるための取付片部85がそれぞれ板状に形成されている。また、下部ケース73の上部、すなわちユニット部16を器具本体15に収容した状態で端子台18側に対向する位置には、バッテリパック17を収容するとともに補助放熱板42の補助放熱部42bが露出する空間部を区画する区画凹部86が形成されている。さらに、この下部ケース73の側部、すなわちユニット部16を器具本体15の収容した状態で器具本体15の側面に対向する部分には、各板ばね47を保持する係止部材保持部としての板ばね保持部87がそれぞれ形成されている。
【００４０】
露出開口部78は、補助放熱板42の補助放熱板本体42aを下部ケース73の上方(ケース体44の外部)へと露出させるものであり、凹部77にそれぞれ開口されている。また、この露出開口部78の側方には、この露出開口部78に挿通された補助放熱板42の補助放熱板本体42aに沿って位置する板状の補助突出部88が突設されている。
【００４１】
挿通開口部79は、補助放熱板42の補助放熱部42bが挿入されてこの補助放熱部42bを下部ケース73の上方の区画凹部86内へと突出させるものである。
【００４２】
基板支持部80は、基板部43の下部を収容する部分であり、下部ケース73(ケース体44(ユニット部16))中で最も下側に位置している。この基板支持部80には、凹部77に臨む側部に、光源モジュール41の一側の位置を規制する規制凹部89が規制部81と同一円弧に沿って円弧状に形成されている。さらに、この基板支持部80の下面、すなわちこの基板支持部80(ケース体44(ユニット部16))の最下端には、化粧枠22の開口部39と連通してスイッチ63およびモニタランプ64を露出させる円形状の開口90がそれぞれ開口されている。
【００４３】
規制部81は、規制凹部89とともに、光源モジュール41を一側他側方向に規制することで光源モジュール41をケース体44に対して位置決めするものである。
【００４４】
収納凹部82は、中継コネクタ19などを収納する部分であり、下部に凹部を有して設けられている。すなわち、この収納凹部82は、下部が化粧枠22(化粧枠本体33(図１７))により覆われる部分である。また、この収納凹部82には、端子台18と中継コネクタ19とを直接電気的に接続する他の配線91が挿通される通孔92が下部ケース73を上下方向に貫通して開口されている。
【００４５】
連通口84は、一の配線71を挿通する部分であり、下部ケース73を上下方向に貫通して開口されている。
【００４６】
各取付片部85は、固定金具45を保持するとともに、ユニット部16を器具本体15に挿入して収容した状態で各ブラケット27aの下部に重ねられる部分である。これら取付片部85のうち、中心軸L1に対して互いに反対に位置する２つの取付片部85には、ねじ46が挿入されるねじ挿入孔85aが貫通して設けられている。さらに、各取付片部85の上部には、ボス部85bがそれぞれ突設されており、ボス部85bのうちの２つがねじ挿入孔85aと連通している。
【００４７】
区画凹部86は、下部ケース73の上側の略中央部に位置している。この区画凹部86には、露出開口部78および挿通開口部79が連通している。また、この区画凹部86の内部には、バッテリパック17の下部を収容保持するバッテリ保持部96が断面円弧状に窪んで形成されている。
【００４８】
各板ばね保持部87は、ユニット部16を器具本体15に収容した状態で各嵌合開口32と対向する位置に形成されている。これら板ばね保持部87は、下面76から上方に向けて溝状に形成されている。すなわち、これら板ばね保持部87は、上下方向、換言すればユニット部16の器具本体15への挿入方向に沿って形成されている。また、これら板ばね保持部87には、各板ばね47の抜け防止用の突起部87aが爪状に突設されている。そして、これら板ばね保持部87は、中心軸L1に対して互いに反対側に位置している(図３)。
【００４９】
一方、上部ケース74は、下側が開放された蓋状となっており、内部が基板支持部80と連通する上部基板収容部となっている。すなわち、この上部ケース74は、基板支持部80(基板部43)の上側を覆うようになっている。さらに、この上部ケース74の上端部には、接続コネクタ66および電源接続コネクタ67をそれぞれ露出させるコネクタ用開口部101およびコネクタ用露出開口部102がそれぞれ開口されている。
【００５０】
また、各固定金具45は、光源モジュール41(および補助放熱板42)をケース体44に対して固定するもので、熱伝導性に優れる放熱性部材であるアルミニウムなどの金属によりプレス成形などによって形成され、概略として、光源モジュール41を下方からケース体44へと押さえる(支持する)押さえ部としての長尺状の金具本体105と、この金具本体105の長手方向の両端部に上方へと段差状に屈曲されて連続する取付部106，106と、これら取付部106，106の上方に折り返されて対向する接触対向部107，107とを一体に備えている。また、一方の固定金具45には、金具本体105の長手方向の一端部に、連通口84に対向して位置し一の配線71を保持する配線保持部108が形成されている。
【００５１】
金具本体105は、光源モジュール41の放熱部58をケース体44(下部ケース73の下面76)に押さえ付けることで光源モジュール41の両端部をケース体44に対して保持する部分である。
【００５２】
取付部106，106は、ケース体44の取付片部85，85の下部にそれぞれ重ねられる部分であり、一方がねじ46によりケース体44にねじ止めされている。これら取付部106，106は、金具本体105の長手方向の両端部から延出しているとともに、放熱部58の厚みの分、この金具本体105に対して上方に段差状に位置するように屈曲されている。
【００５３】
接触対向部107，107は、ケース体44の取付片部85，85の上部のボス部85b，85bにそれぞれ重ねられる部分であり、取付部106，106の金具本体105と反対側の端部から折り返されている。したがって、取付部106，106と接触対向部107，107とにより、固定金具45はケース体44の取付片部85，85を上下に挟み込んで取り付けられるようになっている。
【００５４】
配線保持部108は、連通口84から収納凹部82へと導入される一の配線71を下方から押さえて位置を規制するものである。この配線保持部108は、金具本体105に対して下方へとコ字状に突出するように屈曲して形成されている。
【００５５】
そして、図１ないし図５に示す各板ばね47は、ユニット部16の器具本体15への挿入により各嵌合開口32に対して嵌合することでユニット部16を器具本体15の他端側である上側に付勢した状態で器具本体15に対して係止するとともに、弾性変形させる操作により器具本体15に対するユニット部16の係止を解除するものである。これら板ばね47は、例えばステンレスなどの金属によりプレス成形などによって形成され、ケース体44(板ばね保持部87)に保持固定される保持片部47aと、保持片部47aに対して可動的な可動片部47bと、これら保持片部47aと可動片部47bとを互いに離間された位置で対向するように連結する連結部47cとを一体に備えている。したがって、各板ばね47は、Ｕ字状に形成されており、連結部47cにより、保持片部47aに対して可動片部47bを接近させるように弾性変形させたときに復帰変形する方向にばね性が付与される。
【００５６】
保持片部47aは、板ばね保持部87に沿って挿入される部分であり、長手状に形成され、突起部87aが挿入係止される係止孔47dが開口されている。また、この保持片部47aの連結部47cと反対側の端部、すなわち板ばね47を板ばね保持部87に取り付けた(保持片部47aを板ばね保持部87に挿入した)状態での下端部には、ストッパ部47e，47eがそれぞれ一体に形成されている。これらストッパ部47e，47eは、板ばね保持部87に係止されることで板ばね保持部87に対する板ばね47(保持片部47a)の過剰挿入を阻止して、板ばね保持部87に対して板ばね47を上下方向に位置決めするものである。
【００５７】
可動片部47bは、板ばね保持部87に対して側方に突出してユニット部16を器具本体15に対して係止する部分であり、長手状に形成されている。この可動片部47bには、嵌合開口32に嵌合される付勢部としての湾曲部47fと、この湾曲部47fに突設された突設部としての引っ掛け部である爪部47gと、可動片部47bを保持片部47aに対してばね性に抗して移動操作するための操作部47hとが一体に形成されている。そして、この可動片部47bは、操作部47h側が保持片部47aに対して接離する方向に所定のストロークで移動可能となっている。
【００５８】
湾曲部47fは、嵌合開口32への嵌合によりユニット部16を器具本体15の他端側である上側へと付勢するもので、可動片部47bの厚み方向で、かつ、保持片部47aに対して反対方向に突出する円弧状(弓状)に湾曲されている。すなわち、この湾曲部47fは、嵌合開口32に向けて突出するように湾曲して形成されている。この湾曲部47fは、可動片部47bの長手方向の両端部の中間部に形成されてこれら両端部から離間されている。そして、この湾曲部47fの下側が嵌合開口32の下縁部に係合することで、ユニット部16の自重による反力が湾曲部47fの湾曲形状およびばね性によって上方に向かう付勢力に変換され、ユニット部16を器具本体15に対して上側、すなわち挿入方向(反脱落方向)に付勢するようになっている。
【００５９】
爪部47gは、ユニット部16に対して下方に自重より大きい荷重が加わったときに嵌合開口32の下縁部に係止されることでユニット部16を器具本体15に対して抜け止めする(脱落防止)もので、湾曲部47fの突出の頂部近傍から下方、すなわち湾曲部47fが係合する嵌合開口32の下縁部に向かって突出し、単にユニット部16を器具本体15に収容した状態では嵌合開口32の下縁部に対して離間されている。この爪部47gは、例えば湾曲部47fから切り起こし形成されている。
【００６０】
操作部47hは、湾曲部47fおよび爪部47gを嵌合開口32に対して器具本体15の内方へと移動(退避)させるように可動片部47bを保持片部47aに対して弾性変形させるとともに器具本体15に収容されたユニット部16を器具本体15から引き出す際の操作摘みとなるものである。この操作部47hは、Ｌ字状に屈曲され、湾曲部47fの湾曲方向側である保持片部47aと反対側に突出するように可動片部47bの連結部47cと反対側の端部、すなわち板ばね47を板ばね保持部87に取り付けた(保持片部47aを板ばね保持部87に挿入した)状態での下端部に形成されている。この操作部47hは、ユニット部16を器具本体15に収容した状態で器具本体15のフランジ部31の下部に重ねられ、このフランジ部31と化粧枠22の化粧枠本体33(枠本体部36)との間の間隙に収容されるようになっている。
【００６１】
連結部47cは、半円弧状に形成されており、保持片部47aに対する可動片部47b(湾曲部47f、爪部47gおよび操作部47h)の変形(移動)ストロークを設定している。
【００６２】
また、図１１および図１７などに示すバッテリパック17は、ユニット部16のケース体44の区画凹部86のバッテリ保持部96に下端側が保持され、ユニット部16を器具本体15に取り付けた状態で光源モジュール41に対して上方の他側寄りに位置し、非使用時には端子台18を介して外部電源から供給される電力によって充電されるとともに、非常時(少なくとも外部電源の電力供給停止時)または点検時には点灯用の電力を供給するものである。このバッテリパック17は、図示しない複数の充電可能なバッテリ本体が直列に接続されて構成されている。
【００６３】
図１７などに示す端子台18は、外部電源からＬＥＤ55(図１３(b)など)の点灯用の電力またはバッテリパック17の充電用の電力が供給されるもので、器具本体15(照明器具11)の外部では、外部電源と電源線であるケーブル111(図１５)を介して電気的に接続され、器具本体15の内部では、中継コネクタ19を介して基板部43の点灯回路68および充電回路69(図９)と電気的に接続されるものである。この端子台18は、一対の接続部112，112を備えており、これら接続部112，112が上下に並ぶように取付けブラケット113に取り付けられている。この取付けブラケット113は、例えば金属などにより形成されており、ケース体44の端子台用凹部28に図示しないねじなどによって固定されている。したがって、端子台18は、器具本体15内にて光源モジュール41に対して他側の上端部近傍に位置している。また、接続部112，112には、ケーブル111(図１５)が側方から器具本体15の接線方向に沿って略水平方向に挿入接続されるようになっている。
【００６４】
図１などに示す中継コネクタ19は、収納凹部82に対して下方から一の配線71および他の配線91の一部とともに収納されて保持されるようになっている。この中継コネクタ19は、電源接続コネクタ67および一の配線71を介して基板部43の点灯回路68および充電回路69(図９)と電気的に接続された一のコネクタ部であるユニット側コネクタ19aと、端子台18と他の配線91を介して電気的に接続されユニット側コネクタ19aと着脱される他のコネクタ部である端子台側コネクタ19bとを備えている。
【００６５】
そして、図１ないし図１８を参照して、照明器具11の組み立てを説明する。まず、器具本体15側では、取付けブラケット113を介して器具本体15の端子台用凹部28に端子台18を取り付けるとともに、この端子台18に対して他の配線91を接続する。
【００６６】
また、ユニット部16側では、光源モジュール41を組み立て、基板部43をケース体44の内部に収容するとともに、このケース体44に対して光源モジュール41、補助放熱板42、固定金具45，45およびねじ46，46をそれぞれ取り付ける。
【００６７】
すなわち、光源モジュール41は、ＬＥＤ55およびコネクタ56を実装した光源基板51を放熱部58の下部に熱的に接続し、この放熱部58に対してレンズ53を保持したカバー部59を下方から被せてケース固定部材60，60により固定することで組み立てる(図７)。さらに、基板部43の下端部を基板支持部80に保持した下部ケース73の上方から上部ケース74を被せてこれら下部ケース73と上部ケース74とを係止固定してケース体44の内部に基板部43を収容する(図９)。
【００６８】
そして、ケース体44の下部では、補助放熱板42を、補助放熱部42bをケース体44の挿通開口部79に挿入しつつ凹部77に嵌合し、光源モジュール41を、この補助放熱板42に対して重ねるように規制部81と規制凹部89との間に嵌合させる(図１０)。
【００６９】
さらに、ケース体44に、固定金具45，45をケース体44の両端部からそれぞれ取り付ける(図１２)とともに、板ばね47，47を板ばね保持部87，87にそれぞれ取り付ける(図６(a)および図６(b))。このとき、各固定金具45は、金具本体105が光源モジュール41の放熱部58を押さえ、取付部106および接触対向部107がケース体44の各取付片部85を上下に挟み込んで、ケース体44の両端部に対して一側他側方向に沿って仮固定される。この結果、光源モジュール41の放熱部58が補助放熱板42に押し付けられて互いに熱的に接続される。また、各板ばね47は、各板ばね保持部87に対して押し込むことで、各保持片部47aの各係止孔47dに突起部87aが挿入されるとともに各ストッパ部47eが各板ばね保持部87に保持され、各可動片部47bがケース体44の外縁部に位置した状態で各板ばね保持部87に係止される。
【００７０】
この状態で、ねじ46，46を、固定金具45，45に挿通するとともにねじ挿入孔85a，85aに螺合し、ボス部85b，85bに保持することで、ねじ46，46および固定金具45，45がケース体44に対して一体的に保持され、ユニット部16が組み立てられる。
【００７１】
さらに、照明器具11の埋込孔12への取り付けについて説明する。器具本体15において、端子台18に対して接続された他の配線91を接続し、他の配線91およびこの他の配線91に接続された端子台側コネクタ19bを連通開口28aから器具本体15の内部に挿入しておく。この状態で、埋込孔12から導出したケーブル111を端子台18の接続部112，112にそれぞれ側方から器具本体15の接線方向に沿って挿入接続した器具本体15を、端子台18側の上端部を埋込孔12に先に挿入するように、換言すれば傾斜部30側を下側とするように器具本体15を斜めに傾斜させて埋込孔12に対して下方から挿入して取り付ける(図１５)。このとき、器具本体15は、各取付けばね23を器具本体15の側面に沿わせるように逃げ部29，29を利用して弾性変形させて保持するとともに、傾斜部30側である一側を他側に対して相対的に下方に位置するように適宜傾斜させた状態で埋込孔12に下方から挿入する。この後、傾斜部30の傾斜を利用して器具本体15を上下方向に中心軸L1が沿うように回動させることで、埋込孔12への取り付けが容易になる。そして、各取付けばね23のばね引掛部23bが埋込孔12より上方に移動したら、各取付けばね23の保持を解除する。これにより、各取付けばね23が弾性変形に対する反発力によって器具本体15の側方に展開し、埋込孔12の上縁部に当接して照明器具11を上方へ引き上げ、化粧枠22の化粧枠本体33の上面が設置面Ｐに当接し、器具本体15の設置が完了する。
【００７２】
次いで、この器具本体15に対して、バッテリパック17およびユニット部16を挿入して取り付ける。具体的には、ユニット部16のケース体44の上部で、バッテリパック17の下端部を区画凹部86のバッテリ保持部96に嵌合させるとともに、このバッテリパック17と電気的に接続されている接続コネクタ66の接続側コネクタ部66bを、コネクタ用開口部101から露出する基板部43(図９)の固定側コネクタ部66aに接続する(図１１)。
【００７３】
さらに、器具本体15(図１)の内部に位置する他の配線91および端子台側コネクタ19bを通孔92に対して上方から挿通するとともに、一の配線71およびユニット側コネクタ19aを連通口84に対して上方から挿通した状態で、ユニット側コネクタ19aと端子台側コネクタ19bとを接続し、これらコネクタ19a，19b(中継コネクタ19)を配線71，91とともに纏めて収納凹部82内に収納しつつ、バッテリパック17を保持したユニット部16を、器具本体15の開口部21から上方に挿入して押し込む(図１)。このとき、ユニット部16のケース体44の各取付片部85およびこれら取付片部85を挟み込む各固定金具45の接触対向部107を、器具本体15のブラケット27aに対して下方から重ねて接触させる。また、各板ばね47は、弓状に湾曲した湾曲部47f(爪部47g)が弾性変形されて器具本体15の内面を摺接し、各嵌合開口32の位置となると復帰変形して各嵌合開口32に湾曲部47fが嵌合し、ユニット部16を器具本体15に対して上方へと付勢した状態で器具本体15に係止する(図２(a)および図２(b))。このとき、各湾曲部47fが復帰変形によって各嵌合開口32に嵌合することで、摂動感(クリック感)が得られ、ユニット部16が器具本体15に対して係止されたことを作業者に明確に伝達する。この結果、固定金具45の各接触対向部107が器具本体15の各ブラケット27aに対して接触した状態で圧接され、光源モジュール41の放熱部58が各固定金具45を介して器具本体15と熱的に接続されるとともに、補助放熱板42との熱的な接続がより強固になる。なお、ユニット部16は、各板ばね47から爪部47gが突出していることで、例えばユニット部16を下方に引っ張るなど、仮に自重より大きい荷重がユニット部16に加わっても、爪部47gが嵌合開口32に引っ掛かり、ユニット部16の器具本体15からの脱落を防止する。
【００７４】
この後、化粧枠22の係止ばね34，34を器具本体15の開口部21から挿入して係止用開口26，26に器具本体15の内方から係止させることで化粧枠22を器具本体15に取り付け、出射開口38から光源モジュール41のレンズ53を突出させるとともに、各開口部39からスイッチ63およびモニタランプ64を露出させ、器具本体15内にユニット部16、バッテリパック17および中継コネクタ19を収容した照明器具11の埋込孔12への取り付けが完了する。すなわち、器具本体15に収容されたユニット部16の光源モジュール41を露出させた状態で化粧枠22が器具本体15の一端側である下端側の開口部21を覆って装着される。
【００７５】
この照明器具11は、器具本体15の内部において、器具本体15の中心軸L1に対して光源モジュール41の中央部(ＬＥＤ55の光軸)が一致し、この光源モジュール41の一側に基板部43が配置され、光源モジュール41の他側でかつ上方にバッテリパック17および端子台18が配置された状態となる。
【００７６】
端子台18から外部電源が供給された照明器具11は、基板部43の点灯回路68が常時点灯回路を有している場合には、常時点灯回路から定電流をＬＥＤ55に供給し、ＬＥＤ55を常時点灯させるとともに、充電回路69がバッテリパック17を必要に応じて充電する。また、停電などの非常時には、バッテリパック17から電力が供給された点灯回路68の非常時点灯回路がＬＥＤ55を非常時点灯させる。すなわち、点灯回路68が常時点灯回路を有している場合には、点灯回路68の常時点灯回路が非常時点灯回路に切り換わる。
【００７７】
ＬＥＤ55の点灯により生じる熱は、放熱部58から、各固定金具45を介して器具本体15へと伝達されるとともに補助放熱板42へと伝達される。この結果、放熱部58自身による放熱に加えて、器具本体15による放熱が行われるとともに、補助放熱板42では、熱が空間部中に位置する補助放熱部42bへと伝達されて放熱され、ＬＥＤ55からの熱が確実に放熱される。
【００７８】
また、設置面Ｐに取り付けた照明器具11のメンテナンスの際には、まず、化粧枠22の係止ばね34，34を係止用開口26，26から取り外して化粧枠22を器具本体15から取り外す。この状態で露出したユニット部16において、中継コネクタ19のユニット側コネクタ19aと端子台側コネクタ19bとを互いに取り外し、板ばね47，47の操作部47h，47hを両側から挟むようにすることで各可動片部47bを各保持片部47aに対して弾性変形させ(図３)、各湾曲部47fおよび各爪部47gを嵌合開口32，32から外れる器具本体15の内方へと退避させつつユニット部16を器具本体15からスライドさせて引き出すことで、器具本体15からバッテリパック17と一体的に下方に取り外される(図４(a)、図４(b))。バッテリパック17の交換が必要である場合には、バッテリパック17を、接続コネクタ66との接続を取り外して交換する。光源モジュール41および基板部43は、ケース体44を開いて交換、あるいはケース体44ごと交換する。
【００７９】
以下に、一実施形態の効果を述べる。
【００８０】
上述したように、上記一実施形態では、ユニット部16を器具本体15に挿入するだけで各板ばね47によってユニット部16を器具本体15に係止できるとともに、各板ばね47を弾性変形させる操作によって各板ばね47による器具本体15に対するユニット部16の係止を解除するので、例えばドライバなどの一般工具を用いてねじなどを外したりすることなく、器具本体15に対してユニット部16を容易に着脱できる。
【００８１】
具体的に、各板ばね47を、各嵌合開口32に向けて突出するように湾曲し各嵌合開口32への嵌合によりユニット部16を器具本体15の他端側である上方へと付勢する湾曲部47fと、この湾曲部47fに突設した爪部47gとを備えて構成することで、器具本体15に対してユニット部16を挿入するだけで係止する構成を小型で、かつ、安価に実現できる。
【００８２】
また、各板ばね47が、湾曲部47fおよび爪部47gを各嵌合開口32に対して退避する方向に移動させるように各板ばね47を弾性変形させる操作部47hをさらに備える、換言すれば、係止部材を弾性変形させる操作部47hを湾曲部47fから延設して備えるので、器具本体15に対してユニット部16を挿入するだけで係止し、かつ、弾性変形させる操作によりユニット部16の係止を解除する構成を小型で、かつ、安価に実現できる。
【００８３】
しかも、爪部47gは、湾曲部47fの頂部近傍から突出しているので、ユニット部16を器具本体15に対して挿入して係止するとき、および、この係止を解除して取り出すときの引っ掛かりなどの違和感が出にくい。
【００８４】
また、各嵌合開口32および各板ばね47を、器具本体15の各ブラケット27aおよびこれらブラケット27aに対して器具本体15の一端側である下側から接触する各固定金具45の近傍の位置に配置することで、各板ばね47によりユニット部16を器具本体15に対して上方へと付勢する力を、各ブラケット27aに対する各固定金具45の圧接力として効果的に作用させて、各ブラケット27aと各固定金具45とをより確実に圧接させることができる。このため、各固定金具45と各ブラケット27aとをより確実に熱的に接続できるので、各固定金具45を介して光源モジュール41側から伝わる熱を、各ブラケット27aを介して器具本体15へと効率よく伝達できる。この結果、固定金具45，45および照明器具11の構造を有効に利用して、光源モジュール41の放熱部58に加えて、器具本体15をも放熱に用いることができ、器具本体15内のスペースに配置する放熱部58を必要以上に大きくすることなく、かつ、特別な部材を別途用いることなく熱容量を増加させることができるので、照明器具11を大型化することなく、すなわち照明器具11を小型化しつつ、より高出力の光源モジュール41に対応することができる。
【００８５】
さらに、光源モジュール41の放熱部58と熱的に接続されてＬＥＤ55の熱を外部の空間部へと放熱する補助放熱板42をユニット部16に備えることで、熱容量をさらに増加させることができ、より高出力の光源モジュール41に対応することができる。
【００８６】
そして、器具本体15の化粧枠22を器具本体15に係止する対をなす係止用開口26，26と、これら係止用開口部26，26間に位置する対をなす取付けばね23，23との間に、嵌合開口32，32を位置させることで、係止用開口26，26と取付けばね23，23との間のデッドスペースを有効利用して、各板ばね47を省スペースで効率よく配置できる。しかも、各板ばね47は、器具本体15と化粧枠22との間の間隙に収容されるので、化粧枠22側の設計変更なども不要であり、上記の構造を低コストで実現できる。
【００８７】
なお、上記一実施形態において、板ばね47は、一対設定したが、ユニット部16を器具本体15に対してバランスよく係止できれば、３つ以上設定してもよい。
【００８８】
また、ＬＥＤ55からの熱が放熱部58および器具本体15により確実に放熱できれば、補助放熱板42は不要となる場合もある。すなわち、補助放熱板42は、必須の構成ではない。
【００８９】
さらに、器具本体15は、全体を放熱性部材により形成したが、ＬＥＤ55からの熱を確実に放熱できれば、固定金具45によって放熱部58と熱的に接続される部分(ブラケット27a)を含む一部のみを放熱性部材により形成することもできる。
【００９０】
また、発光素子としては、ＬＥＤ55以外でも、例えばレーザダイオードなどの発光素子、あるいは、有機ＥＬ素子(ＯＬＥＤ)などを用いることもできる。
【００９１】
さらに、点灯回路68は、少なくとも非常時点灯回路を有していれば、常時点灯回路は必須の構成ではない。すなわち、照明器具11は非常時にのみ点灯するようにしてもよい。
【００９２】
そして、照明器具11としては、埋込孔12に埋め込まれる埋込形以外でも、例えば設置面Ｐに直接取り付ける、いわゆる直付形にも適用できる。
【００９３】
また、レンズ53は、ガラスで形成されてもよいし、樹脂で形成されてもよく、レンズ53が樹脂で形成される場合には、レンズ53の光の出射方向側にガラス製のカバーが設けられる。
【００９４】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９５】
11    照明装置としての照明器具
15    器具本体
16    ユニット部
17    バッテリであるバッテリパック
21    開口部
22    カバー体としての化粧枠
23    取付けばね
26    カバー体係止部としての係止用開口
27a   接触部としてのブラケット
32    嵌合部としての嵌合開口
41    光源モジュール
43    回路基板である基板部
44    ケース体
45    接触部材としての固定金具
47    係止部材としての板ばね
47f   付勢部としての湾曲部
47g   突設部としての爪部
47h   操作部
68    点灯回路
【図１】
2016173893.tif 000003
【図２】
2016173893.tif 000004
【図３】
2016173893.tif 000005
【図４】
2016173893.tif 000006
【図５】
2016173893.tif 000007
【図６】
2016173893.tif 000008
【図７】
2016173893.tif 000009
【図８】
2016173893.tif 000010
【図９】
2016173893.tif 000011
【図１０】
2016173893.tif 000012
【図１１】
2016173893.tif 000013
【図１２】
2016173893.tif 000014
【図１３】
2016173893.tif 000015
【図１４】
2016173893.tif 000016
【図１５】
2016173893.tif 000017
【図１６】
2016173893.tif 000018
【図１７】
2016173893.tif 000019
【図１８】
2016173893.tif 000020